(57)【要約】【課題】屋上緑化用の人工地盤であって該人工地盤中により多くの量の空気を蓄えることができる人工地盤を提供すること。【解決手段】屋上に設置される緑化用の人工地盤は、前記屋上に間隔を置いて配置された複数のブロックと、該ブロック間を満たす多数の粒状物と、前記ブロック及び前記粒状物上の植生層と、各ブロックにより前記人工地盤中に形成された中空部とを含む。各ブロックは、コンクリート、プラスチックもしくは発泡スチロールの成型品又は素焼きの植木鉢からなる。前記粒状物は、土、礫又は砂利からなり、前記植生層は土からなる。【選択図】図１
2008092831.tif 000002
【特許請求の範囲】
【請求項１】
屋上に設置される緑化用の人工地盤であって、前記屋上に間隔を置いて配置された複数のブロックと、該ブロック間を満たす多数の粒状物と、前記ブロック及び前記粒状物上の植生層と、各ブロックにより前記人工地盤中に形成された中空部とを含む、人工地盤。
【請求項２】
前記中空部を大気と連通させる連通手段を備える、請求項１に記載の人工地盤。
【請求項３】
前記連通手段は、前記人工地盤中にあって少なくとも一端部が大気中で開放された管からなり、該管は、それぞれが前記中空部に通ずる複数の開口を有する、請求項２に記載の人工地盤。
【請求項４】
各ブロックは、コンクリート、プラスチックもしくは発泡スチロールの成型品又は素焼きの植木鉢からなる、請求項１に記載の人工地盤。
【請求項５】
前記粒状物は、土、礫又は砂利からなる、請求項１に記載の人工地盤。
【請求項６】
前記植生層は土からなる、請求項１に記載の人工地盤。
【発明の詳細な説明】
【技術分野】
【０００１】
本発明は、屋上緑化用の人工地盤であって該人工地盤中により多くの量の空気を蓄えることができる人工地盤に関する。
【背景技術】
【０００２】
近年、ヒートアイランド現象の抑制、都市景観の向上等を目的として屋上緑化が行われている。特に、東京都が条例により一定基準を超える敷地面積を有する新たな建物について屋上緑化を義務付けたことにより、屋上緑化の需要はより一層高くなっている。
【０００３】
従来の屋上緑化用の人工地盤には、屋上に配置された、上面に複数の凹所を有する発泡スチロール製の嵩上げ材と、各凹所内に配置された植栽ポットとを含むものがある（特許文献１参照）。前記植栽ポットで植物を生育させる。前記嵩上げ材が発泡スチロール製であることから、前記人工地盤は比較的軽量であり、前記屋上に作用する積載荷重は比較的小さい。
【特許文献１】特開２００４−１２９５６７号公報
【発明の開示】
【発明が解決しようとする課題】
【０００４】
ところで、植物が呼吸するとき、前記植物の葉や茎だけでなく前記植物の根も酸素を吸収する。前記植物の根が酸素を吸収できないと、前記植物は、衰弱し、枯れる。このため、前記植物が生育するためには、前記植物の根はより多くの量の酸素を吸収することが望ましい。
【０００５】
前記植栽ポットで生育する植物の根は、前記植栽ポット内の土の中の空隙に蓄えられた空気中の酸素を吸収する。しかし、前記植栽ポットが前記嵩上げ材の前記凹所内にしか存在しないこと、及び土の中の空隙が比較的小さいことから、前記植栽ポット内の空気の量は比較的少ない。このため、前記植物の根が吸収できる酸素の量は比較的少ない。
【０００６】
本発明の目的は、屋上緑化用の人工地盤であって該人工地盤中により多くの量の空気を蓄えることができる人工地盤を提供することである。
【課題を解決するための手段】
【０００７】
本発明は、植生層下の複数のブロックのそれぞれにより人工地盤中に中空部を形成することによって、前記人工地盤中により多くの量の空気を蓄えられるようにする。
【０００８】
本発明に係る、屋上に設置される緑化用の人工地盤は、前記屋上に間隔を置いて配置された複数のブロックと、該ブロック間を満たす多数の粒状物と、前記ブロック及び前記粒状物上の植生層と、各ブロックにより前記人工地盤中に形成された中空部とを含む。
【０００９】
前記植生層で植物を生育させる。前記植生層に散水、降雨等により供給された水は、前記粒状物を経て前記植生層から排出される。前記人工地盤中に前記中空部が形成されていることから、前記人工地盤の軽量化を図ることができ、前記屋上に作用する積載荷重を比較的小さくすることができる。
【００１０】
前記植生層中の空隙に加え、前記中空部にも空気が存在する。また、前記中空部は土の中の空隙に比べて非常に大きい。このため、前記人工地盤は該人工地盤中により多くの量の空気を蓄えることができる。前記植物の根は、前記中空部の空気中の酸素を消費するまで、前記植生層中の空気中の酸素に加え、前記中空部の空気中の酸素を吸収することができる。このため、前記植物が前記植生層で発芽するとき又は前記植物が前記植生層に植えられたときから根付くまでの一定の期間、前記植物の根はより多くの量の酸素を吸収することができる。これにより前記植物の発育又は根付きを促すことができる。
【００１１】
前記人工地盤は、前記中空部を大気と連通させる連通手段を備える。これにより、前記中空部の空気中の酸素が前記植物により消費された後、大気中の酸素が前記連通手段により前記中空部に供給される。このため、前記植物の根は常により多くの量の酸素を吸収することができる。これにより常に前記植物の成長を促すことができる。前記連通手段は、前記人工地盤中にあって少なくとも一端部が大気中で開放された管からなり、該管は、それぞれが前記中空部に通ずる複数の開口を有する。
【００１２】
各ブロックは、コンクリート、プラスチックもしくは発泡スチロールの成型品又は素焼きの植木鉢からなる。前記粒状物は、土、礫又は砂利からなり、前記植生層は土からなる。
【発明の効果】
【００１３】
本発明によれば、人工地盤中により多くの量の空気を蓄えることができる。このため、前記植物が前記植生層で発芽するとき又は前記植物が前記植生層に植えられたときから根付くまでの一定の期間、前記植物の根はより多くの量の酸素を吸収することができる。また、前記中空部を大気と連通させることにより、前記植物の根は常により多くの量の酸素を吸収することができる。
【発明を実施するための最良の形態】
【００１４】
図１に示すように、建物の屋上１０に緑化用の人工地盤１２が設けられている。人工地盤１２は、屋上１０に間隔を置いて配置された複数のブロック（第１ブロック）１４（図２）と、該ブロック間を満たす多数の粒状物（第１粒状物）１６と、ブロック１４及び粒状物１６上の植生層１８と、各ブロック１４により人工地盤１２中に形成された中空部２０とを含む。
【００１５】
図示の例では、屋上１０に非透水性シート２２が配置されており、非透水性シート２２上に他の複数のブロック（第２ブロック）１４ａが間隔を置いて配置されている。第１ブロック１４は第２ブロック１４ａ上に支持されている。第２ブロック１４ａ間は他の多数の粒状物（第２粒状物）１６ａで満たされており、各第２ブロック１４ａにより人工地盤１２中に中空部２０ａが形成されている。人工地盤１２の周囲に、石垣からなる側壁２４が設けられている。側壁２４と第１ブロック１４及び第２ブロック１４ａとの間は第２粒状物１６ａで満たされている。
【００１６】
第１ブロック１４は、非透水性シート２２上に配置された第２ブロック１４ａ上に支持されている図示の例に代え、例えば、非透水性シート２２上に配置された発泡スチロール製の板状体（図示せず）上に支持されていてもよい。また、第１ブロック１４は屋上１０に直接支持されていてもよい。
【００１７】
第１ブロック１４が動くのを防止するため、各第１ブロック１４は第２ブロック１４ａに固定されていることが望ましく、また各第２ブロック１４ａは非透水性シート２２に固定されていることが望ましい。各第１ブロック１４の第２ブロック１４ａへの固定は、例えば接着による。
【００１８】
各第１ブロック１４は、上下逆様にした素焼きの植木鉢からなり、截頭円錐状の側部２６と該側部上の頂部２８とを有する。頂部２８に貫通穴３０が設けられている。各第１ブロック１４が植木鉢のような既製品からなるため、第１ブロック１４を新たに設計しまた製作する必要がない。貫通穴３０は、頂部２８に設けられている図示の例に代え、側部２６に設けられていてもよい。各第１ブロック１４は、素焼きの植木鉢からなる図示の例に代え、コンクリート、プラスチック、発泡スチロール等の成型品からなるものでもよい。各第１ブロック１４がコンクリートの成型品からなる場合、前記コンクリートは、人工地盤１２の軽量化を図るため、軽量コンクリートであることが望ましい。
【００１９】
各第１ブロック１４は、側部２６が截頭円錐状である図示の例に代え、側部が截頭角錐状、円柱状、角柱状、他の形状を有するものでもよいし、全体が半球状のものでもよい。また、各第１ブロック１４は、一対の側部と該側部上の頂部とを有するものでもよい。この場合、各第１ブロック１４は、貫通穴を有するものでもよいし、貫通穴を有しないものでもよい。各第１ブロック１４の寸法は、横断面の直径が約１０ｃｍないし約２０ｃｍ、高さが約３０ｃｍである。各第１ブロック１４の寸法、形状及び配置位置は任意に変更することができる。各ブロック１４の寸法、形状及び配置位置を任意に変更することにより、人工地盤１２の形状及び寸法を任意に変更することができる。
【００２０】
各第２ブロック１４ａは、各第１ブロック１４と同様に、上下逆様にした素焼きの植木鉢からなり、截頭円錐状の側部２６ａと該側部上の頂部２８ａとを有する。頂部２８ａに貫通穴３０ａが設けられている。
【００２１】
第１粒状物１６及び第２粒状物１６ａは、人工地盤１２の軽量化を図るため、軽石からなる。第１粒状物１６及び第２粒状物１６ａは、軽石からなる図示の例に代え、他の礫からなるものでもよいし、砂利又は土からなるものでもよい。
【００２２】
植生層１８で植物３２を生育させる。植生層１８は土からなる。人工地盤１２の軽量化を図るため、前記土は人工軽量土壌であることが望ましい。
【００２３】
植生層１８には散水、降雨等により植物３２の生育に必要な水が供給される。植生層１８に供給された水は、第１粒状物１６及び第２粒状物１６ａを経て植生層１８から排出される。非透水性シート２２は、前記水が屋上１０へ漏れるのを防止する。
【００２４】
各第１ブロック１４により人工地盤１２中に中空部２０が形成されていることにより、人工地盤１２の軽量化を図ることができ、屋上１０に作用する積載荷重を比較的小さくすることができる。また、図示の例では、各第２ブロック１４ａにより人工地盤１２中に中空部２０ａが形成されていることにより、人工地盤１２をより軽量化することができる。
【００２５】
植生層１８中の空隙に加え、中空部２０にも空気が存在する。また、中空部２０は土の中の空隙に比べて非常に大きい。このため、人工地盤１２は該人工地盤中により多くの量の空気を蓄えることができる。植物３２の根は、中空部２０の空気中の酸素を消費するまで、植生層１８中の空気中の酸素に加え、中空部２０の空気中の酸素を吸収することができる。このため、植物３２が植生層１８で発芽するとき又は植物３２が植生層１８に植えられたときから根付くまでの一定の期間、植物３２の根はより多くの量の酸素を吸収することができる。これにより、植物３２の発育又は根付きを促すことができる。
【００２６】
図示の例では、植生層１８中の空隙及び中空部２０に加え、各第２ブロック１４ａにより人工地盤１２中に形成された中空部２０ａにも空気が存在する。このため、植物３２の根は、中空部２０ａの空気中の酸素を消費するまで該酸素を吸収することができる。これにより、植物３２の発育又は根付きをさらに促すことができる。
【００２７】
人工地盤１２は、中空部２０を大気と連通させる連通手段３４を備える。連通手段３４は、人工地盤１２中にあって一端部３６が大気中で開放された管３８からなる。管３８は、第１ブロック１４下にあり、それぞれが中空部２０に通ずる複数の開口４０を有する。管３８と中空部２０とを連通させるため、枝管４２が各開口４０に配置され、管３８に接続されている。中空部２０は、管３８を経て相互に連通し、さらに大気と連通している。管３８は、塩化ビニル製の管、鋼管、ゴム製のホース等からなる。
【００２８】
管３８は、一端部３６が大気中で開放されている図示の例に代え、両端部が大気中で開放されていてもよい。管３８は、第１ブロック１４下にある図示の例に代え、第１ブロック１４間にあってもよいし、第１ブロック１４を貫通していてもよい。連通手段３４は、中空部２０を相互に連通させ、さらに大気と連通させる管３８からなる図示の例に代え、それぞれが中空部２０と大気とを連通させる複数の管（図示せず）からなるものでもよい。
【００２９】
連通手段３４により中空部２０が大気と連通していることにより、中空部２０の空気中の酸素が植物３２により消費された後、大気中の酸素が連通手段３４により中空部２０に供給される。このため、植生層１８で生育する植物３２の根は常により多くの量の酸素を吸収することができる。これにより常に植物３２の成長を促すことができる。
【００３０】
図３、４に示す例では、各第１ブロック１４は、板材４４上に固定されており、板材４４を介して第２ブロック１４ａ上に支持されている。各第１ブロック１４の板材４４への固定は、例えば接着による。図５に示すように、隣接する２つの第１ブロック１４'、１４''のうち一方の第１ブロック１４'が固定された板材４４ａと、他方の第１ブロック１４''が固定された板材４４ｂとは、互いに隣接しており、接続具４６により接続されている。
【００３１】
一方の第１ブロック１４'が固定された板材４４ａの端部４８ａに接続穴５０ａが設けられており、接続穴５０ａは板材４４ａの上面５２ａに開放されている。また、他方の第１ブロック１４''が固定された板材４４ｂの端部４８ｂに接続穴５０ｂが設けられており、接続穴５０ｂは板材４４ｂの上面５２ｂに開放されている。
【００３２】
接続具４６は、本体５４と、該本体に設けられた複数の接続ピン５６ａ、５６ｂとを有する。一方の接続ピン５６ａは、一方の第１ブロック１４'が固定された板材４４ａの接続穴５０ａに嵌合されており、また他方の接続ピン５６ｂは、他方の第１ブロック１４''が固定された板材４４ｂの接続穴５０ｂに嵌合されている。
【００３３】
接続具４６の本体５４はその中央に貫通穴５８を有し、固定ピン６０が貫通穴５８に挿入されている。固定ピン６０は、さらに、一方の第１ブロック１４'が固定された板材４４ａと、他方の第１ブロック１４''が固定された板材４４ｂとの間を経て、第２ブロック１４ａの頂部２８ａに設けられた貫通穴３０ａに挿入されている。これにより、第１ブロック１４が第２ブロック１４ａに対して固定されている。
【００３４】
各第２ブロック１４ａは、各第１ブロック１４と同様に、板材４４ｃ上に固定されており、板材４４ｃを介して屋上１０に支持されている。隣接する２つの第２ブロック１４ａのうち一方の第２ブロック１４ａが固定された板材４４ｃと、他方の第２ブロック１４ａが固定された板材４４ｃとは、隣接する２つの第１ブロック１４'、１４''の場合と同様に、接続具４６により接続されている。
【００３５】
第１ブロック１４を屋上１０に配置するとき、まず、それぞれが板材４４上の所定の位置に固定された複数の第１ブロック１４を用意する。その後、該第１ブロック１４を、隣接する２つの第１ブロック１４'、１４''のうち一方の第１ブロック１４'が固定された板材４４ａと、他方の第１ブロック１４''が固定された板材４４ｂとが互いに隣接するように配置する。その結果、隣接する２つの第１ブロック１４'、１４''が所定の間隔を置いて配置される。よって、第１ブロック１４を配置するときに各第１ブロック１４の位置決めをする必要がない。このため、第１ブロック１４の屋上１０への配置を効率的に行うことができる。
【図面の簡単な説明】
【００３６】
【図１】本発明の第１実施例に係る人工地盤の縦断面図。
【図２】図１の線２におけるブロックの平面図。
【図３】本発明の第２実施例に係る人工地盤の縦断面図。
【図４】図３の線４におけるブロックの平面図。
【図５】図３の線５における拡大図。
【符号の説明】
【００３７】
１０    屋上
１２    人工地盤
１４、１４'、１４''    ブロック
１６    粒状物
１８    植生層
２０    中空部
３４    連通手段
３８    管
４０    開口
【図１】
2008092831.tif 000003
【図２】
2008092831.tif 000004
【図３】
2008092831.tif 000005
【図４】
2008092831.tif 000006
【図５】
2008092831.tif 000007